(57)【要約】      （修正有）【課題】尻尾穴部を有し、適切な位置に装着可能なペット用おむつを提供する。【解決手段】ペットの胴回り方向に沿って配置される胴回り方向と、胴回り方向と直交し、ペットの腹側から背側を繋ぐ方向に延びる交差方向と、表面シート、裏面シート、及び表面シートと裏面シートの間に配置された吸収コアを有する本体部と、ペットの尻尾を挿通可能な尻尾穴部７０と、を有するペット用おむつ１であって、尻尾穴部７０の位置を指標する尻尾目印部５１を有する。【選択図】図４
2020188749.tif 000002
【特許請求の範囲】
【請求項１】
ペットの胴回り方向に沿って配置される胴回り方向と、
前記胴回り方向と直交し、ペットの腹側から背側を繋ぐ方向に延びる交差方向と、
表面シート、裏面シート、及び前記表面シートと前記裏面シートの間に配置された吸収コアを有する本体部と、
前記ペットの尻尾を挿通可能な尻尾穴部と、を有する、ペット用おむつであって、
前記ペット用おむつは、前記尻尾穴部の位置を指標する尻尾目印部を有する、ペット用おむつ。
【請求項２】
前記ペット用おむつの平面視において、前記尻尾目印部と前記尻尾穴部と最小間隔は、前記尻尾穴部の最大寸法以下である、請求項１に記載のペット用おむつ。
【請求項３】
前記ペット用おむつの平面視において、前記尻尾目印部の少なくとも一部は、前記尻尾穴部と重なる領域に配置されている、請求項１又は請求項２に記載のペット用おむつ。
【請求項４】
前記尻尾目印部は、前記ペット用おむつの装着方向を指標する、請求項１から請求項３のいずれか１項に記載のペット用おむつ。
【請求項５】
前記尻尾穴部は、前記ペットの尻尾を挿通可能な貫通穴と、前記貫通穴の寸法を拡大するための切り込み部と、を有しており、
前記尻尾目印部は、前記切り込み部の位置を指標する、請求項１から請求項４のいずれか１項に記載のペット用おむつ。
【請求項６】
前記切り込み部は、第１切り込み部と、前記第１切り込み部よりも前記貫通穴から離れた側に位置する第２切り込み部と、を有し、
前記尻尾目印部は、前記第１切り込み部の位置を指標する第１尻尾目印部と、前記第２切り込み部の位置を指標する第２尻尾目印部と、を有する、請求項５に記載のペット用おむつ。
【請求項７】
前記第１尻尾目印部は、前記第１切り込み部の操作順序を示し、
前記第２尻尾目印部は、前記第２切り込み部の操作順序を示す、請求項６に記載のペット用おむつ。
【請求項８】
前記尻尾目印部は、前記切り込み部の操作方向を示す、請求項５から請求項７のいずれか１項に記載のペット用おむつ。
【請求項９】
前記ペット用おむつの前記裏面シートには、前記尻尾目印部と、前記尻尾目印部と異なるデザインの装飾部と、が印刷されている、請求項１から請求項８のいずれか１項に記載のペット用おむつ。
【請求項１０】
前記尻尾目印部は、装着対象のペットを示すデザインを有する、請求項１から請求項９のいずれか１項に記載のペット用おむつ。
【請求項１１】
シート材が連続した連続シート体を搬送するシート搬送工程と、
前記連続シート体に尻尾目印部を付与する目印付与工程と、
前記尻尾目印部を有する前記連続シート体に対して吸収コアを積層するコア積層工程と、
前記コア積層工程は、前記連続シート体の前記尻尾目印部の位置を検出し、当該尻尾目印部の位置に基づいて前記吸収コアの積層位置を調整する、ペット用おむつの製造方法。
【発明の詳細な説明】
【技術分野】
【０００１】
本発明は、犬や猫などのペットに装着されるペット用おむつに関する。
【背景技術】
【０００２】
特許文献１には、ペット用おむつが開示されている。特許文献１のペット用おむつは、ペットの腹側に当てられる腹当て部と、ペットの背側に当てられる背当て部と、背当て部において尻尾を挿通させるための尻尾穴部と、腹当て部に設けられたファスナーテープと、を有する。特許文献１のペットおむつを装着する際は、尻尾穴部に尻尾を通しつつ、ペットの腹側に腹当て部を当てるとともに背側に背当て部を当てて、ファスナーテープを背当て部に止める（特許文献１の図４参照）。
【先行技術文献】
【特許文献】
【０００３】
【特許文献１】特開２００３−２１００６２号公報
【発明の概要】
【発明が解決しようとする課題】
【０００４】
しかし、特許文献１のペット用おむつは、以下の問題があった。
尻尾穴部は、本体部全体に対して小さく、使用者によっては、尻尾穴部の存在に気づかずに、装着してしまうことがあった。また、尻尾穴部の存在に気づかないことにより、本体部の装着方向や位置を間違えてしまうことがあり、適切な位置に装着できないことがあった。
【０００５】
よって、尻尾穴部を有し、適切な位置に装着可能なペット用おむつを提供することを目的とする。
【課題を解決するための手段】
【０００６】
一態様に係るペット用おむつは、ペットの胴回り方向に沿って配置される胴回り方向と、前記胴回り方向と直交し、ペットの腹側から背側を繋ぐ方向に延びる交差方向と、表面シート、裏面シート、及び前記表面シートと前記裏面シートの間に配置された吸収コアを有する本体部と、前記ペットの尻尾を挿通可能な尻尾穴部と、を有する、ペット用おむつであって、前記ペット用おむつは、前記尻尾穴部の位置を指標する尻尾目印部を有する。
【０００７】
一態様に係るペット用おむつの製造方法は、シート材が連続した連続シート体を搬送するシート搬送工程と、前記連続シート体に尻尾目印部を付与する目印付与工程と、前記尻尾目印部を有する前記連続シート体に対して吸収コアを積層するコア積層工程と、前記コア積層工程は、前記連続シート体の前記尻尾目印部の位置を検出し、当該尻尾目印部の位置に基づいて前記吸収コアの積層位置を調整する。
【図面の簡単な説明】
【０００８】
【図１】第１実施形態に係るペット用おむつの肌面側から見た平面図である。
【図２】第１実施形態に係るペット用おむつの非肌面側から見た平面図である。
【図３】図１に示すＡ−Ａ線に沿ったペット用おむつの模式的断面図である。
【図４】第１実施形態に係るペット用おむつの着用状態を模式的に示した図である。
【図５】第２実施形態から第５実施形態に係るペット用おむつの非肌面側から見た平面図である。
【０００９】
（１）実施形態の概要
本明細書及び添付図面の記載により、少なくとも以下の事項が明らかとなる。
一態様に係るペット用おむつは、ペットの胴回り方向に沿って配置される胴回り方向と、前記胴回り方向と直交し、ペットの腹側から背側を繋ぐ方向に延びる交差方向と、表面シート、裏面シート、及び前記表面シートと前記裏面シートの間に配置された吸収コアを有する本体部と、前記ペットの尻尾を挿通可能な尻尾穴部と、を有する、ペット用おむつであって、前記ペット用おむつは、前記尻尾穴部の位置を指標する尻尾目印部を有する。
【００１０】
本態様によれば、使用者は、尻尾目印部に基づいて尻尾穴部の存在を気づき、尻尾穴部に尻尾を挿通しておむつを装着できる。また、尻尾穴部に尻尾を通しておむつを装着することにより、おむつのフィット性を高めることができる。
【００１１】
好ましい一態様によれば、前記ペット用おむつの平面視において、前記尻尾目印部と前記尻尾穴部と最小間隔は、前記尻尾穴部の最大寸法以下であってよい。本態様によれば、使用者は、尻尾目印部と尻尾穴部の両方を一度に視認しやすくなり、尻尾目印部によって尻尾穴部の存在を気づきやすくなる。
【００１２】
好ましい一態様によれば、前記ペット用おむつの平面視において、前記尻尾目印部の少なくとも一部は、前記尻尾穴部と重なる領域に配置されてよい。本態様によれば、使用者は、尻尾目印部と尻尾穴部の両方を一度に視認しやすくなり、尻尾目印部によって尻尾穴部の存在をより気づき易くなる。
【００１３】
好ましい一態様によれば、前記尻尾目印部は、前記ペット用おむつの装着方向を指標してよい。本態様によれば、尻尾目印部がペット用おむつの装着方向を指標することにより、使用者がおむつの適切な装着方向を把握でき、正しい方向で装着することができる。また、誤った方向で装着した場合であっても、装着後に尻尾目印部を視認して、正しい方向に直すことができる。
【００１４】
好ましい一態様によれば、前記尻尾穴部は、前記ペットの尻尾を挿通可能な貫通穴と、前記貫通穴の寸法を拡大するための切り込み部と、を有しており、前記尻尾目印部は、前記切り込み部の位置を指標してよい。本態様によれば、使用者は、尻尾目印部に基づいて尻尾穴部の切リ込み部の存在を気づき、必要に応じて切り込み部によって貫通穴の寸法を大きくすることができる。ペットの尻尾の大きさや形状に応じて適切な貫通穴を形成することで、おむつを適切な位置に装着できる。
【００１５】
好ましい一態様によれば、前記切り込み部は、第１切り込み部と、前記第１切り込み部よりも前記貫通穴から離れた側に位置する第２切り込み部と、を有し、前記尻尾目印部は、前記第１切り込み部の位置を指標する第１尻尾目印部と、前記第２切り込み部の位置を指標する第２尻尾目印部と、を有してよい。本態様によれば、使用者は、複数の切り込み部の存在を気づくことができ、個々のペットに適したサイズに貫通穴の大きさを調整することができる。
【００１６】
好ましい一態様によれば、前記第１尻尾目印部は、前記第１切り込み部の操作順序を示し、前記第２尻尾目印部は、前記第２切り込み部の操作順序を示してよい。本態様によれば、使用者は、切り込み部の操作順序を把握でき、操作によって段階的に貫通穴の寸法を大きくし、個々のペットに適したサイズに貫通穴の大きさを調整することができる。
【００１７】
好ましい一態様によれば、前記尻尾目印部は、前記切り込み部の操作方向を示してよい。本態様によれば、使用者は、切り込み部の操作方向を把握でき、操作によって貫通穴の寸法を大きくし、個々のペットに適したサイズに貫通穴の大きさを調整することができる。
【００１８】
好ましい一態様によれば、前記ペット用おむつの前記裏面シートには、前記尻尾目印部と、前記尻尾目印部と異なるデザインの装飾部と、が印刷されてよい。本態様によれば、装飾部によっておむつ全体の装飾性を高めつつ、尻尾目印部によって尻尾穴部の存在を気づかせることができる。また、装飾部と目印部のデザインが異なるため、使用者は、両者を区別して認識し易い。
【００１９】
好ましい一態様によれば、前記尻尾目印部は、装着対象のペットを示すデザインを有してよい。本態様によれば、使用者は、尻尾目印部によって、装着対象のペットを把握することができる。
【００２０】
一態様に係るペット用おむつの製造方法は、シート材が連続した連続シート体を搬送するシート搬送工程と、前記連続シート体に尻尾目印部を付与する目印付与工程と、前記尻尾目印部を有する前記連続シート体に対して吸収コアを積層するコア積層工程と、前記コア積層工程は、前記連続シート体の前記尻尾目印部の位置を検出し、当該尻尾目印部の位置に基づいて前記吸収コアの積層位置を調整する。
【００２１】
本態様によれば、尻尾目印部と吸収コアの相対位置を一定に保つことができる。よって、尻尾目印部を基準としておむつを装着した際に、個々のおむつによって吸収コアの装着位置がずれることを抑制できる。おむつ全体における尻尾目印部の位置ずれを抑制することにより、尻尾目印部と尻尾穴部の相対位置の精度を向上できる。
【００２２】
（２）ペット用おむつの構成
以下、図面を参照して、実施形態に係るペット用おむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２３】
本明細書において、「ペット」は、脊椎動物や無脊椎動物を広く包含し、典型的には、猫、犬、ウサギ、ハムスターなどの愛玩動物を含む。本実施の形態のペット用おむつは、犬用のおむつである。なお、変形例において、猫用のおむつであってよい。
【００２４】
図１は、第１実施形態に係るペット用おむつの肌面側からから見た平面図である。図２は、第１実施形態に係るペット用おむつの非肌面側からから見た平面図である。図３は、図１に示すＡ−Ａ線に沿ったペット用おむつの模式的断面図である。図１及び図２では、ペット用おむつ１を皺が形成されない状態まで伸長させた伸長状態を示している。また、図３に示す断面図では、説明の便宜上、各部材を厚み方向Ｔにおいて離間して示しているが、実際の製品においては厚み方向Ｔに接している。図４は、ペット用おむつの着用状態を模式的に示した図である。
【００２５】
ペット用おむつは、ペットの胴回り方向に沿って配置される胴回り方向Ｗと、胴回り方向Ｗと直交する交差方向Ｚと、胴回り方向Ｗ及び交差方向Ｚと直交する厚み方向Ｔと、を有する。交差方向Ｚは、ペットの縦方向、すなわち股下側から股下から離れる側を繋ぐ方向に延びる。厚み方向Ｔは、着用状態においてペットに当てられる表面側Ｔ１と、着用状態において外側に向けられる裏面側Ｔ２と、に延びる。図４に示すように、第１実施形態に係るペット用おむつは、ペットの腹側から股下を通って背側まで覆うように装着される。
【００２６】
ペット用おむつ１は、本体部２と、接合部４０と、を有する。本体部２は、胴回り方向Ｗの一端部である本体第１端部６１と、胴回り方向Ｗの他端部である６２と、交差方向Ｚの一端部である本体第３端部６３と、交差方向Ｚの他端部である本体第４端部６４と、を有してよい。本体第１端部６１は及び本体第２端部６２には、後述するファスニングテープ９０が接合されている。本体第３端部６３は、装着状態においてペットの背側に配置される。本体第４端部６４は、本体第３端部６３と対向しており、装着状態においてペットの腹側に配置される。また、本発明における端部は、端縁を含む一定の範囲を占める部分である。本体第１端部６１は、本体部２の胴回り方向Ｗの一端縁である第１端縁６１Ｅから胴回り方向Ｗの内側に延びる部分である。同様に、本体第２端部６２は、本体部２の胴回り方向Ｗの他端縁である第２端縁６２Ｅから胴回り方向Ｗの内側に延びる部分である。本体第１端部及び本体第２端部６２は、本体部２の胴回り方向Ｗの端縁と吸収コア３０の胴回り方向Ｗの端縁との間の領域であってよい。また、本体第３端部６３は、本体部２の交差方向Ｚの一端縁である第３端縁６３Ｅから交差方向Ｚの内側に延びる部分である。同様に、本体第４端部６４は、本体部２の交差方向Ｚの他端縁である第４端縁６４Ｅから交
差方向Ｚの内側に延びる部分である。本体第３端部６３及び本体第４端部６４は、本体部２の交差方向Ｚの端縁と吸収コア３０の交差方向Ｚの端縁との間の領域であってよい。また、本体第４端部６４は、本体部２の交差方向Ｚの端縁と吸収コア３０の交差方向Ｚの端縁との間の領域であってよいし、本体部２の交差方向Ｚの端縁と後述する尻尾穴部７０との間の領域であってもよい。
【００２７】
ペット用おむつ１は、本体部２と、接合部４０と、を有する。本体部２は、表面シート１０、裏面シート２０、及び吸収コア３０を少なくとも有する。表面シート１０は、本体部２においてペットに当てられる内面２Ｐに配置されている。表面シート１０は、体液を吸収コア３０側に透過させる液透過性を有する。表面シート１０は、交差方向Ｚの中央に位置し、吸収コア３０を覆うセンターシート１１と、センターシート１１の胴回り方向Ｗの両側部を覆うサイドシート１２と、を有してよい。
【００２８】
図３に示すように、サイドシート１２は、折り畳まれていてよい。具体的には、サイドシート１２の胴回り方向Ｗの内側縁において裏面側Ｔ２に折り返されている。折り返されたサイドシート１２間に、交差方向Ｚに伸長された状態のサイド伸縮性部材１３が配置されてよい。サイド伸縮性部材１３は、ペット側に起立する防漏ギャザーを構成してよい。
【００２９】
吸収コア３０は、表面シート１０と裏面シート２０の間に配置されている。吸収コア３０は、パルプ等の吸収材料が積層されている。図３に示すように、吸収コア３０を覆うコアラップ３２が設けられていてよい。吸収コア３０は、胴回り方向Ｗにおいて本体部２の両端縁よりも内側に配置されている。すなわち、吸収コア３０の胴回り方向Ｗの長さは、本体部２の胴回り方向Ｗの長さよりも短い。吸収コア３０は、本体部２の胴回り方向Ｗの中央に配置され、本体部２の胴回り方向Ｗの外側部には設けられていない。また、吸収コア３０は、交差方向Ｚにおいて本体部２の両端縁よりも内側に配置されてよい。すなわち、吸収コア３０の交差方向Ｚの長さは、本体部２の交差方向Ｚの長さよりも短くてよい。吸収コア３０は、本体部２の交差方向Ｚの中央に配置され、本体部２の交差方向Ｚの外側部には設けられていなくてよい。また、吸収コア３０及びコアラップ３２には、印刷部が設けられてよい。印刷部は、尻尾目印部５１を構成してよい。
【００３０】
裏面シート２０は、本体部２において着用時に外側に位置する外面２Ｑに配置されている。裏面シート２０は、液不透過性の裏面フィルム２１と、裏面フィルム２１よりも裏面側に位置する裏面不織布２２と、を有してよい。なお、変形例において、裏面シートは、液不透過性の裏面フィルムと、裏面フィルム２１よりも内面側に位置する裏面不織布と、を有してよい。裏面フィルム２１の表面側Ｔ１の面には、体液の接触によって呈色反応を示すインジケータと、印刷部が設けられてよく、裏面フィルム２１の裏面側Ｔ２の面には、印刷部が設けられてよい。インジケータ及び印刷部の少なくとも一方は、尻尾目印部５１を構成してよい。裏面フィルム２１の交差方向Ｚの長さは、裏面不織布２２の交差方向Ｚの長さよりも短くてよい。すなわち、裏面不織布２２は、裏面フィルム２１よりも交差方向Ｚの両側に延出してよい。
【００３１】
接合部４０は、本体部２の交差方向Ｚの一端部である本体第３端部６３において、本体部２よりも胴回り方向Ｗの両外側に延出している。より詳細には、接合部４０は、本体第３端部６３において、本体部２の第１端縁６１Ｅ及び第２端縁６２Ｅよりも胴回り方向Ｗの外側に延出したファスニングテープ９０に設けられている。接合部４０は、ファスニングテープ９０の表面側Ｔ１の面に配置されている。接合部４０は、メカニカルファスナであってよく、本体部２の外面２Ｑにもうけられたターゲット部４５に接合可能に構成されている。なお、変形例において、本体部は、ターゲット部を備えず、接合部４０は、本体部２の外面２Ｑ側の裏面シートに接合するように構成されてよい。変形例において、接合部４０Ｘは、本体第４端部６４において、本体部２Ｘよりも胴回り方向Ｗの両外側に延出てもよい。
【００３２】
ペット用おむつ１は、ペットの尻尾を挿入可能な尻尾穴部７０が設けられてよい。尻尾穴部７０は、ペットの尻尾を挿通可能な貫通穴７０Ｘと、貫通穴の寸法を拡大するための切り込み部７０Ｙと、を有する。尻尾穴部７０を有するおむつにあっては、着用時の本体部２の交差方向Ｚの他端部によってペットの臀部及び背中を覆う際に、尻尾穴部７０の貫通穴７０Ｘにペットの尻尾を挿通させてよい。貫通穴７０Ｘは、半円形の切り込みであってよい。切り込み部７０Ｙは、ミシン目等、表面シート１０及び裏面シート２０を引き裂き可能な構成であってよく、ペットの種類及び成長過程に応じて貫通穴７０Ｘの寸法を調整できる。本実施の形態の切り込み部は、尻尾穴部７０の胴回り方向の中心に対する左右それぞれに１個ずつ設けられている。しかし、他の形態において、切り込み部は、尻尾穴部７０の胴回り方向の中心に対する左右それぞれに２個以上ずつ設けられていて、複数段階で尻尾穴部７０の寸法を調整できるように構成されてよい。
【００３３】
ペット用おむつ１を装着する際は、本体第３端部６３（接合部４０が設けられた側の端部）をペットの腹に当てる。このとき、本体部２の交差方向Ｚの他端部を、ペットの両足の間を通し、かつペットの後側に出しておく。そして、本体部２の交差方向Ｚの中央をペットの排泄口に当てつつ、ペットの尻尾を、尻尾穴部７０７０を通しておむつの裏面側に出しておく。本体第４端部６４によってペットの臀部及び背中を覆う。次いで、接合部４０をペットの背中側に引っ張り、背中側に位置する本体第４端部６４のターゲット部４５に外面に止める。これにより、図４に示すように、ペットの腹、背中、及び股下を覆うようにペット用おむつ１を装着できる。すなわち、ペット用おむつ１は、ペットの腹側から股下を通って背側まで覆うように装着される。
【００３４】
次いで、尻尾目印部５１について説明する。尻尾目印部５１は、尻尾穴部７０の位置を指標する。尻尾目印部５１は、ペット用おむつの裏面シート側（外面側）から視認可能に構成されている。ペット用おむつの裏面シート側は、着用状態で外側に位置しておりペットにおむつを当てる際のみならず、ペットにおむつを当てた後でも視認可能である。装着操作の過程のみならず、装着操作後にも尻尾穴部７０の位置を指標できる。使用者は、尻尾目印部５１に基づいて尻尾穴部７０の存在を気づき、尻尾穴部７０に尻尾を挿通しておむつを装着できる。また、尻尾穴部７０に尻尾を通しておむつを装着することにより、おむつのフィット性を高めることができる。加えて、尻尾穴部７０に尻尾を通しておむつを装着することにより、本体部の方向を適切に配置でき、適切な位置に装着できる。
【００３５】
なお、本発明における「視認可能」とは、昼白色（色温度目安 ４６００〜５４００ Ｋ（ケルビン））で明るく照明された室内(目安：５００〜７５０ ｌｘ（ルクス））で約３０〜５０ｃｍの距離で、良好な視力（１．０以上）を両眼に有する被験者が対象物を見たときに視認できることを意味している。
【００３６】
尻尾目印部５１は、尻尾穴部７０の周囲の領域に配置されてよい。ペット用おむつの平面視において、尻尾目印部５１と尻尾穴部７０と最大間隔Ｇmaxは、尻尾穴部７０の最大寸法以下であってよい。使用者は、尻尾目印部５１と尻尾穴部７０の両方を一度に視認しやすくなり、尻尾目印部５１によって尻尾穴部７０の存在を気づきやすくなる。より好適には、尻尾目印部５１と尻尾穴部７０と最小間隔Ｇminは、尻尾穴部７０の最大寸法７０Ｍ以下であってよい。または、尻尾穴部６０と尻尾目印部５１の最小間隔Ｇminが２０ｍｍであってもよい。好適には、尻尾穴部６０と尻尾目印部５１の最大間隔が２０ｍｍであ
ってもよい。使用者は、尻尾目印部５１と尻尾穴部７０の両方を一度により視認しやすくなり、尻尾目印部５１によって尻尾穴部７０の存在を気づきやすくなる。尻尾穴部７０の最大寸法は、平面視の最大寸法であればよく、胴回り方向の寸法であってもよいし、交差方向の寸法であってもよいし、胴回り方向に対して傾斜する方向の寸法であってもよい。
【００３７】
尻尾目印部５１は、尻尾穴部７０と重なる領域に配置されてよい。尻尾穴部７０と重なる領域は、尻尾穴部７０の外形を繋いだラインよりも内側の領域であり、図１において斜線を付して示す。使用者は、尻尾目印部５１と尻尾穴部７０の両方を一度により視認しやすくなり、尻尾目印部５１によって尻尾穴部７０の存在をより気づきやすくなる。
【００３８】
尻尾目印部５１は、ペット用おむつの装着方向を指標してよい。装着方向は、具体的には、着用時における上下方向及び左右方向を例示できる。図２において、着用時に上側に向けられる上方向Ｕと、着用時に下側に向けられる下方向Ｄと、を示す。ペットの腹側から股下を通って背側まで覆うように装着される形態にあっては、使用者が、腹側に当てる領域と背側に当てる領域を正確に区別できずに、腹側と背側を間違えて装着してしまうおそれがある。しかし、尻尾目印部５１がペット用おむつの装着方向を指標することにより、装着時におむつの装着方向を示すことができ、正しい方向で装着することができる。また、誤った方向で装着した場合であっても、装着後に尻尾目印部５１を視認して、正しい方向に直すことができる。
【００３９】
装着方向を指標する尻尾目印部５１は、上下方向を有するデザインによって方向を示してもよいし、上下方向を有する文字、数字、及び記号によって方向を示してよい。正しい方向でおむつを装着することにより、デザインが正しい方向に配置されたり、文字が正しい方向に配置されたりすることにより、おむつの装着方向を示すことができる。本実施の形態の尻尾目印部５１は、リボンのデザインを有しており、結び目から放射状に延びる２つの輪が上側に位置し、結び目から垂れる部分が下側に位置した状態が正しい方向となる。リボンのデザインによって正しい装着方向を示すことができる。
【００４０】
ペット用おむつの裏面シートには、尻尾目印部５１と、尻尾目印部５１と異なるデザインの装飾部７５と、が印刷されてよい。装飾部は、尻尾目印部５１以外のデザインを有する部分であり、図柄や模様を有するデザインのみならず、色のみからなる背景色を含む。装飾部によっておむつ全体の装飾性を高めつつ、尻尾目印部５１によって尻尾穴部７０の存在を気づかせることができる。また、装飾部と尻尾目印部５１のデザインが異なるため、使用者は、両者を区別して認識し易い。装飾部と尻尾目印部５１のデザインが異なる構成とは、色、形状、模様の違いであってよい。
【００４１】
また、装飾部と尻尾目印部５１の色差ΔＥは、３．０以上であってよい。装飾部と尻尾目印部５１の色差ΔＥは、測定対象となる２点（２つの領域）について市販の測色器を用いて測色を行い、ＪＩＳ Ｚ 8729に規定されるＣＩＥ１９７６（L*a*b*）色空間に基づいて数値化した値を比較することによって求めることができる。具体的に、測定対象たる２点間のL*値の差がΔL*、a*の差がΔa*、b*値の差がΔb*であるときに、色差ΔＥ＝[(ΔL*)2＋(Δa*)2＋Δb*)2]1/2によって求められる。
【００４２】
次いで、図５に基づいて変形例のペット用おむつについて説明する。以下の変形例の説明において、第１実施形態と同様の構成については同符号を用いて説明を省略する。また、以下の変形例の説明においては、説明の便宜上、ペット用おむつを裏面側から視認した状態における尻尾穴部７０と尻尾目印部５１のみを示し、その他の部材については省略して示す。
【００４３】
図５（ａ）は、第２実施形態に係る尻尾穴部７１及び尻尾目印部５２を示している。第２実施形態に係る尻尾穴部７１の切り込み部７１Ｙは、貫通穴７１Ｘから離れる方向に向かって間隔を空けて複数配置されている。切り込み部７１Ｙは、第１切り込み部７１Ｙ１と、第１切り込み部７１Ｙ１よりも貫通穴から離れた側に位置する第２切り込み部７１Ｙ２と、を有する。第１切り込み部７１Ｙ１及び第２切り込み部７１Ｙ２は、貫通穴７１Ｘから離れる方向に向かって放射状に延びる形状である。
【００４４】
尻尾目印部５２は、複数設けられており、複数の切り込み部による貫通穴の段階的な変化を指標する。尻尾目印部５２は、切り込み部によって貫通穴の寸法が段階的に大きくなることを示す。第２実施の形態の尻尾穴部７１は、第１切り込み部７１Ｙ１によって貫通穴の寸法を大きくする第１段階と、第２切り込み部７１Ｙ２によって貫通穴を更に大きくする第２段階と、で貫通穴７１Ｘの寸法が変化する。尻尾目印部５２は、第１切り込み部７１Ｙ１による第１段階の操作を示す数字「１」からなる第１尻尾目印部５２１と、第２切り込み部７１Ｙ２による第２段階の操作を示す数字「２」からなる第２尻尾目印部５２２と、を有する。使用者は、複数の切り込み部の存在を気づくことができ、個々のペットに適したサイズに貫通穴を調整することができる。
【００４５】
第１尻尾目印部５２１は、第１切り込み部７１Ｙ１を指標し、第２尻尾目印部５２２は、第２切り込み部７１Ｙ２を指標してよい。使用者は、複数の切り込み部の存在を気づくことができ、個々のペットに適したサイズに貫通穴の大きさを調整することができる。
【００４６】
第１尻尾目印部５２１は、第１切り込み部７１Ｙ１の操作順序を示し、第２尻尾目印部５２２は、第２切り込み部７１Ｙ２の操作順序を示してよい。使用者は、切り込み部７１Ｙの操作順序を把握でき、操作によって段階的に貫通穴の寸法を大きくし、個々のペットに適したサイズに貫通穴の大きさを調整することができる。
【００４７】
図５（ｂ）は、第３実施形態に係る尻尾穴部７１及び尻尾目印部５３を示している。第３実施形態に係る尻尾穴部７１は、第２実施形態に係る尻尾穴部と同様である。尻尾目印部５３は、第１尻尾目印部５３１と、第２尻尾目印部５３２と、第３尻尾目印部５３３と、を有する。第１尻尾目印部５３１から第３尻尾目印部５３３のそれぞれは、半円状に沿った円弧状である。尻尾目印部５３は、貫通穴に沿って配置された第１尻尾目印部５３１と、第１尻尾目印部５３１よりも貫通穴７１Ｘから離れた側に位置する第２尻尾目印部５３２と、第２尻尾目印部５３２よりも貫通穴７１Ｘから離れた側に位置する第３尻尾目印部５３３と、を有する。第１尻尾目印部５３１、第２尻尾目印部５３２及び第３尻尾目印部５３３は、色が異なっており、色の変化によって段階的に貫通穴７１Ｘの寸法が大きくなることを示す。
【００４８】
図５（ｃ）は、第４実施形態に係る尻尾穴部７０及び尻尾目印部５４を示している。第４実施形態に係る尻尾穴部７０は、第１実施形態に係る尻尾穴部と同様である。尻尾目印部５４は、切り込み部７０Ｙの操作方向を示す。使用者は、切り込み部７０Ｙの操作方向を把握でき、操作によって段階的に貫通穴７０Ｘの寸法を大きくし、個々のペットに適したサイズに貫通穴の大きさを調整することができる。切り込み部の操作方向を示す尻尾目印部５４は、ファスナー等の操作部材のデザインによって切り込み部を切り裂く方向を示してもよいし、矢印のデザインによって切り込み部を切り裂く方向を示してもよいし、文
字による説明によって切り込み部を切り裂く方向を示してもよい。
【００４９】
図５（ｄ）は、第５実施形態に係る尻尾穴部７０及び尻尾目印部５５を示している。第５実施形態に係る尻尾穴部７０は、第１実施形態に係る尻尾穴部と同様である。尻尾目印部５５は、装着対象のペットを示すデザインを有する。具体的には、犬用のおむつの尻尾目印部は、犬の尻尾のデザイン、犬の身体のデザイン、犬の顔のデザイン、犬の好物（例えば、骨）等、犬に関連するデザインを有し、猫用のおむつの尻尾目印部は、猫の尻尾のデザイン、猫の身体のデザイン、猫の顔のデザイン、猫の好物（例えば、魚、猫じゃらし）等、猫に関連するデザインを有してよい。使用者は、尻尾目印部によって、装着対象のペットを把握することができる。
【００５０】
次いで、このように構成されたペット用おむつの製造方法の一例について説明する。ペット用おむつの製造方法は、シート材が連続した連続シート体を搬送するシート搬送工程と、連続シート体に印刷を施し、尻尾目印部５１を設ける目印付与工程と、尻尾目印部５１を有する連続シート体に対して吸収コア３０を積層する吸収コア積層工程と、を有してよい。
【００５１】
シート材が連続した連続シート体を搬送するシート搬送工程は、表面シート１０、裏面シート及びコアラップのいずれかを構成するシート材が連続した連続シート体を搬送する。目印付与工程は、連続シート体に尻尾目印部を付与する。尻尾目印部の付与は、印刷によって行ってもよいし、エンボス加工によって行ってもよい。コア積層工程は、連続シート体の尻尾目印部５１の位置を検出する。尻尾目印部の検出は、カメラ等の撮像手段によって尻尾目印部の位置を検出してよい。コア積層工程は、尻尾目印部の位置に基づいて吸収コア３０の積層位置を調整する。吸収コア３０の積層位置の調整は、吸収コア３０と連続シート体との位置の調整である。具体的には、連続シート体の送り出し量を調整することによって、連続シート体と吸収コア３０の搬送方向における位置を調整できる。また、搬送方向と直交する直交方向における連続シート体の側端に接する調整機構を設け、当該調整機構によって連続シート体の直交方向における位置を調整してもよい。このような製造方法によれば、尻尾目印部と吸収コア３０の相対位置を一定に保つことができる。よって、尻尾目印部５１を基準としておむつを装着した際に、個々のおむつによって吸収コア３０の装着位置がずれることを抑制できる。おむつ全体における尻尾目印部の位置ずれを抑制することにより、尻尾目印部と尻尾穴部の相対位置の精度を向上できる。
【００５２】
次いで、複数のペット用おむつが包装体に収容された収容体について説明する。収容体は、複数のペット用おむつと、当該複数のペット用おむつを収容する包袋体と、を有する。複数のペット用おむつは、裏面シートに第１装飾部が印刷された第１おむつと、第１装飾部と異なるデザインの第２装飾部が裏面シートに印刷された第２おむつを有する。なお、ここにおける第１装飾部及び第２装飾部は、２つのデザインが異なっていればよく、第２実施形態の第１装飾部及び第２装飾部と異なるデザインであってよい。本実施の形態では、裏面シートの裏面フィルムに第１装飾部又は第２装飾部が印刷されている。本実施形態によれば、第１装飾部及び目印部を有する第１おむつと、第２装飾部及び目印部を有する第２おむつと、によって装飾性を高めて使用者の注意を引きつけ、目印部の視認性を向上できる。第１装飾部及び第２装飾部は、目印部以外のデザインを有する部分であり、図柄や模様を有するデザインのみならず、色のみからなる背景色を含む。
【００５３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００５４】
尻尾穴部を有し、適切な位置に装着可能なペット用おむつを提供することができる。
【符号の説明】
【００５５】
２        ：本体部、１０      ：表面シート、２０      ：裏面シート、３０      ：吸収コア、３２      ：コアラップ、４０      ：接合部、４５      ：ターゲット部、５１、５２、５３、５４、５５      ：尻尾目印部、５２１、５３１    ：第１尻尾目印部、５２２、５３２    ：第２尻尾目印部、５３３    ：第３尻尾目印部、７０、７１      ：尻尾穴部、７０Ｘ、７１Ｘ    ：貫通穴、７０Ｙ、７１Ｙ    ：切り込み部、７１Ｙ１  ：第１切り込み部、７１Ｙ２  ：第１切り込み部、９０      ：ファスニングテープ、Ｗ        ：胴回り方向、Ｚ        ：交差方向
【図１】
2020188749.tif 000003
【図２】
2020188749.tif 000004
【図３】
2020188749.tif 000005
【図４】
2020188749.tif 000006
【図５】
2020188749.tif 000007